(57)【要約】      （修正有）【課題】車両内に取り付けることができる車両用ウェルカムランプを提供する。【解決手段】車両用ウェルカムランプ１は、外ケーシング１１と、外ケーシングの片側に設置される投影モジュール１２と、投影モジュールの片側に設置される光源モジュール１３と、光源モジュールの片側に設置される間仕切りシート１４と、間仕切りシートの片側に設置されており、外ケーシングと結合されるランプカバー１５と、を含んでなる。また、投影モジュール内には、第１回路基板と、第１発光ユニットと、第１レンズユニットと、パターンユニットと、台座と、第２レンズユニットと、を含み、パターンユニットとは、図形フィルム、文字フィルム、図形文字フィルムまたは液晶表示パネルである。【選択図】図１
0003168083.tif 000002
【実用新案登録請求の範囲】
【請求項１】
外ケーシングと、
前記外ケーシングの片側に設置される投影モジュールと、
前記投影モジュールの片側に設置される光源モジュールと、
前記光源モジュールの片側に設置される間仕切りシートと、
前記間仕切りシートの片側に設置されており、前記外ケーシングと結合されるランプカバーと、
を含んでなることを特徴とする、車両用ウェルカムランプ。
【請求項２】
前記投影モジュールは、第１回路基板と、第１発光ユニットと、第１レンズユニットと、パターンユニットと、台座と、第２レンズユニットと、を含み、
前記第１発光ユニットは、前記第１回路基板上に設置され、
前記第１レンズユニットは、前記第１回路基板と前記台座との間に設けられ、
前記パターンユニットは、前記第１レンズユニットと前記台座との間に設けられ、
前記第２レンズユニットは、前記台座の他の側に取り付けられることを特徴とする、請求項１に記載の車両用ウェルカムランプ。
【請求項３】
前記台座は、中空円柱体形状を呈しており、且つ前記台座の外側に向けて突出してなる２つの回り止め係合部が延設され、
前記外ケーシングの裏側に２つの嵌め溝が形成され、
前記２つの回り止め係合部は、前記２つの嵌め溝内にそれぞれに嵌め込まれていることを特徴とする、請求項２に記載の車両用ウェルカムランプ。
【請求項４】
前記光源モジュールは、２つの第２発光ユニットと第２回路基板と、を具備し、前記２つの第２発光ユニットは、前記第２回路基板上に所定間隔おきに設置されており、前記第２回路基板には切り欠き口が形成され、前記切り欠き口の形状を前記台座に対応するように形成し得ることを特徴とする、請求項３に記載の車両用ウェルカムランプ。
【請求項５】
前記第２回路基板は、２つの穴が形成され、前記外ケーシングは、２つの位置決め柱が形成され、前記２つの穴は、前記２つの位置決め柱にそれぞれに対応して設けられていて、前記２つの穴と前記２つの位置決め柱が、対応するねじによって締結固定されることを特徴とする、請求項４に記載の車両用ウェルカムランプ。
【請求項６】
前記ランプカバーの外側面は、波浪状の外形を呈していることを特徴とする、請求項１に記載の車両用ウェルカムランプ。
【請求項７】
前記外ケーシングは、少なくとも１つのほぞを具備し、前記ランプカバーは、少なくとも１つの挿し溝を具備し、前記外ケーシング及び前記ランプカバーは、前記ほぞを相応な前記挿し溝内に挿し込まれることによって結合するように構成されることを特徴とする、請求項１に記載の車両用ウェルカムランプ。
【請求項８】
前記パターンユニットは、図形フィルム、文字フィルム、図形文字フィルムまたは液晶表示パネルであることを特徴とする、請求項２に記載の車両用ウェルカムランプ。
【考案の詳細な説明】
【技術分野】
【０００１】
本考案は、投影ランプ、特に車両用ウェルカムランプに関するものである。
【背景技術】
【０００２】
近年、自動車工業の発達に伴い、従来、様々な付属部品（例えば、エアバッグ、アンチロックブレーキングシステム、警報用レーダー、カーナビゲーションシステム、パーキングサポートシステムやウェルカムランプなどの付属部品）は、高級的な車種のみにアイテムとして選択し用いるに代わりに、一般車両にも搭載される必要な装置になった。
【０００３】
これらの中で、ウェルカムランプは、一般的に車室内または車ドアに取り付けられており、車ドアを開けると自動的に点灯し、車室内の床面から間接的に光が照射される。この場合、乗客の足元の視認性が高まるために、乗車／降車の際に、車室内における安全性が向上させることができるだけでなく、乗客を迎え入れるような演出効果を発揮するなど、装飾的な美感効果をもたらしている。
【０００４】
しかしながら、近年では、消費者の要求が一段と厳しさを増してきたため、当業界において、従来の車両用ウェルカムランプの照明及び装飾効果を向上させて、車種の付加価値を高まることができる新しい方法が段々に重視されるようになった。
【考案の概要】
【考案が解決しようとする課題】
【０００５】
本考案は、車両用ウェルカムランプ、特に、単に乗客を迎え入れるような演出効果を有するだけてなく、車種を代表するロゴマークを表示させる投影モジュールを含んでなる構造を提供することを主目的としているため、質感をより一層引き立てることができる。
【課題を解決するための手段】
【０００６】
上記目的を達成するために、本考案の車両用ウェルカムランプでは、外ケーシングと、上記外ケーシングの片側に設置される投影モジュールと、上記投影モジュールの片側に設置される光源モジュールと、上記光源モジュールの片側に設置される間仕切りシートと、上記間仕切りシートの片側に設置されており、上記外ケーシングと結合されるランプカバーと、を含んでなることを特徴とするものである。
【０００７】
こうした車両用ウェルカムランプにおいて、上記投影モジュールは、第１回路基板と、第１発光ユニットと、第１レンズユニットと、パターンユニットと、台座と、第２レンズユニットと、を含み、上記第１発光ユニットは、上記第１回路基板上に設置され、上記第１レンズユニットは、上記第１回路基板と上記台座との間に設けられ、上記パターンユニットは、上記第１レンズユニットと上記台座との間に設けられ、上記第２レンズユニットは、上記台座の他の側に取り付けられることを特徴とするものである。
【０００８】
また、上記台座は、中空円柱体形状を呈しており、且つ上記台座の外側に向けて突出してなる２つの回り止め係合部が延設され、上記外ケーシングの裏側に２つの嵌め溝が形成され、上記２つの回り止め係合部は、前記２つの嵌め溝内にそれぞれに嵌め込まれていることを特徴とするものである。
【０００９】
また、上記光源モジュールは、２つの第２発光ユニットと第２回路基板と、を具備し、これらの第２発光ユニットは、上記第２回路基板上に所定間隔おきに設置されており、上記第２回路基板には切り欠き口が形成され、上記切り欠き口の形状を上記台座に対応するように形成し得ることを特徴とするものである。
【００１０】
さらに、上記第２回路基板は、２つの穴が形成されるとともに、上記外ケーシングは、２つの位置決め柱が形成され、これらの穴は、これらの位置決め柱にそれぞれに対応して設けられていて、これらの穴とこれらの位置決め柱が、対応するねじによって締結固定されることを特徴とするものである。
【００１１】
なお、上記ランプカバーの外側面は、波浪状の外形を呈していることを特徴とするものである。
【００１２】
また、上記外ケーシングは、少なくとも１つのほぞを具備するとともに、上記ランプカバーは、少なくとも１つの挿し溝を具備し、上記外ケーシング及び上記ランプカバーは、上記ほぞを相応な上記挿し溝内に挿し込まれることによって結合するように構成されることを特徴とするものである。
【００１３】
また、上記パターンユニットは、図形フィルム、文字フィルム、図形文字フィルムまたは液晶表示パネルであることを特徴とするものである。
【考案の効果】
【００１４】
本考案によれば、乗客の足元の視認性を向上させて安全性が確保されるだけでなく、高級な印象でしかも美感のある（例えば、車種に相応するロゴを表示させること）、乗客を迎え入れる演出効果がもたらされる。
【図面の簡単な説明】
【００１５】
【図１】本考案の車両用ウェルカムランプの好ましい実施例を示す第１分解図。
【図２】本考案の車両用ウェルカムランプの好ましい実施例を示す第２分解図。
【図３】本考案の車両用ウェルカムランプの好ましい実施例を示す組み合わせ図。
【図４】本考案の車両用ウェルカムランプの投影モジュールを示す分解図。
【図５】本考案の車両用ウェルカムランプの好ましい実施例を第１位置への設置例を模式的に示す図。
【図６】本考案の車両用ウェルカムランプの好ましい実施例を第２位置への設置例を模式的に示す図。
【考案を実施するための形態】
【００１６】
本考案の内容をより完全に理解するために、以下、本考案の実施形態を添付図面を参照して説明する。
【００１７】
図１、図２及び図３は、それぞれ本考案の車両用ウェルカムランプの好ましい実施例を示す第１分解図、第２分解図及び組み合わせ図である。この実施例では、これらの図に示すように、車両用ウェルカムランプ１は、外ケーシング１１と、投影モジュール１２と、光源モジュール１３と、間仕切りシート１４と、ランプカバー１５とを含むように構成されている。
【００１８】
外ケーシング１１は、プラスチック材質からなることが好ましい。また、外ケーシング１１では、２つの位置決め柱１１１、複数のほぞ１１２及び２つの嵌め溝１１３が形成されている。なお、上述した位置決め柱１１１は、外ケーシング１１の内側に向けて突出してなる。また、上述したほぞ１１２は、外ケーシング１１の側辺部に所定の間隔をもって設置されている。さらに、上述した嵌め溝１１３は、外ケーシング１１の内側に形成されている。
【００１９】
次に、図４の本考案の車両用ウェルカムランプの投影モジュールを示す分解図を合わせて参照しながら、この考案の実施形態を説明する。図４に示すように、投影モジュール１２は、外ケーシング１１の内側に設置されている。また、この投影モジュール１２は、第１回路基板１２１と、第１発光ユニット１２２と、第１レンズユニット１２３と、パターンユニット１２４と、台座１２５と、第２レンズユニット１２６と、を含むように構成されている。第１発光ユニット１２２は、発光ダイオードであり、第１回路基板１２１上に設置され、電源を供給することで、青色、黄色、緑色、赤色や白色などの様々な色の光を発出することができる。第１レンズユニット１２３は、第１回路基板１２１と台座１２５との間に設けられ、集光用途として用いることができる。パターンユニット１２４は、図形フィルム、文字フィルム、図形文字フィルムまたは液晶表示パネルであってもよい。特に、パターンフィルム（図形フィルム、文字フィルムや図形文字フィルムなど）である場合、図形ロゴ、文字、或いは両者の組み合わせを印刷することができる。一方、液晶表示パネルである場合、図形、文字、或いは両者の組み合わせを表示させるように駆動制御することが可能。このパターンユニット１２４は、第１レンズユニット１２３と台座１２５との間に設けられる。台座１２５は、中空円柱体であり、且つ２つの回り止め係合部１２５１を有し、これらの回り止め係合部１２５１は、台座１２５の外側に向けて突出して延設され、また、上述した嵌め溝１１３に対応するようにそれぞれに嵌め溝１１３に嵌め込まれる。第２レンズユニット１２６は、台座１２５の他の側に取り付けられ、増光用途として用いることができる。投影モジュール１２を駆動して発光させる際に、第１発光ユニット１２２から発出した光線は、パターンユニット１２４を透過した後、順次に第１レンズユニット１２３の集光作用、第２レンズユニット１２６の増光作用を経て、パターンユニット１２４上の図形ロゴを外部へと投影させ、十分な装飾効果をもたらす。
【００２０】
光源モジュール１３は、２つの第２発光ユニット１３１と第２回路基板１３２と、を具備するように構成されている。これらの第２発光ユニット１３１は、発光ダイオードであり、電源を供給することで、青色、赤色、緑色、黄色や白色などの様々な色の光を発出することができる。また、これらの第２発光ユニット１３１は、第２回路基板１３２上に所定間隔おきに設置されている。第２回路基板１３２の中央部には切り欠き口１３２１が形成され、両端面のそれぞれに穴１３２２が形成され、この切り欠き口１３２１の形状では、台座１２５に対応するように形成され、これらの穴１３２２では、それらの位置決め柱１１１にそれぞれに対応して設けられている。
【００２１】
ランプカバー１５は、プラスチック材質からなることが好ましい。また、ランプカバー１５は、少なくとも１つの挿し溝１５１を具備し、且つランプカバー１５の外側面は、波浪状の外形を呈しており、ランプカバー１５の中へ照射する光線を外部に拡散し、独特な照明効果を発揮し得る。｛かくさん｝
【００２２】
こうした車両用ウェルカムランプ１を組み立てる場合、台座１２５の回り止め係合部１２５１のみを、嵌め溝１１３内にそれぞれに嵌め込んだ後、光源モジュール１３、投影モジュール１２及びケーシング１１を結合固定できるように、穴１３２２及び位置決め柱１１１に対応するねじ１６を締め込め、また、外ケーシング１１及びランプカバー１５を結合できるように、外ケーシング１１のほぞ１１２をランプカバー１５の相応な挿し溝１５１内に挿し込む。
【００２３】
次に、図５の本考案の車両用ウェルカムランプの好ましい実施例を第１位置への設置例を模式的に示す図及び図６の本考案の車両用ウェルカムランプの好ましい実施例を第２位置への設置例を模式的に示す図を参照しながら、この考案の実施形態を説明する。車両用ウェルカムランプ１を車両２の車ドア２１の底部分に取り付ける場合、この車ドアを開けると、投影モジュール１２により、パターンユニット１２４の図形ロゴが地面に投影されて、投影映像が形成される。また、光源モジュール１３も光を投射し、照度を増加することによって、乗降の容易性を向上させる。
【００２４】
もちろん、車両用ウェルカムランプ１を車ドア２１の枠に取り付けることも可能で、照射方向を調整するまたは２つの投影モジュール１２を設けることによって、投影光源を車ドア２１の外側を部分的に照射したり、車ドア２１の内側を部分的に照射することができる。
【００２５】
上述したような本考案の車両用ウェルカムランプによれば、効果としは、乗客を迎え入れと安全性を兼ね備えただけでなく、投影モジュールを追設することによって、車種に相応するロゴを表示させることもできる。これにより、乗客の方では、車の持ち主が乗客への思いやる心遣いを改めて感じさせられ、車の持ち主の方では、このような効果を体験してみて、自動車整備工場から付与された独特な高級感を享受することできる。
【００２６】
唯、以上に述べたことは、単に本考案を実施するための最良の形態の項においてなした具体的な実施態様または実施例であり、あくまでも、本考案の技術内容を明らかにするものであって、そのような具体例にのみ限定して狭義に解釈されるべきものではなく、当業者は、本考案の精神及び添付の特許請求の範囲内でいろいろと変更して実施することができるものである。
【産業上の利用可能性】
【００２７】
以上、説明したように本考案に係る車両用ウェルカムランプの構造は、特許に基づいての新規性、進歩性及び産業上の利用可能性を具備することから、特許に値するものと確信しますので、出願人より、特許法の規定に従って、考案特許として特許庁に出願する。
【符号の説明】
【００２８】
１        車両用ウェルカムランプ
１１      外ケーシング
１１１    位置決め柱
１１２    ほぞ
１１３    嵌め溝
１２      投影モジュール
１２１    第１回路基板
１２２    第１発光ユニット
１２３    第１レンズユニット
１２４    パターンユニット
１２５    台座
１２５１  回り止め係合部
１２６    第２レンズユニット
１３      光源モジュール
１３１    第２発光ユニット
１３２    第２回路基板
１３２１  切り欠き口
１３２２  穴
１４      間仕切りシート
１５      ランプカバー
１５１    挿し溝
１６      ねじ
２        車両
２１      車ドア
【図１】
0003168083.tif 000003
【図２】
0003168083.tif 000004
【図３】
0003168083.tif 000005
【図４】
0003168083.tif 000006
【図５】
0003168083.tif 000007
【図６】
0003168083.tif 000008
【手続補正書】
【提出日】平成23年3月23日(2011.3.23)
【手続補正１】
【補正対象書類名】図面
【補正対象項目名】図５
【補正方法】変更
【補正の内容】
【図５】
0003168083.tif 000009